(57)【要約】【課題】引き寄せボルトの配設位置の精度に拘わらず、容易且つ確実に構造材同士を接合することのできる接合金具を提供すること。【解決手段】垂直材と横架材とを互いに垂直に接合する接合金具であって、固定用孔を有し固定材で垂直材の側面に当接固定される縦長の平板体１１と、平板体１１に突出固定され、平板体１１の平板部１１ｂに対して垂直な方向に縦長の係合孔部１３ａを有する係合体１３とを具備し、係合孔部１３ａは、矩形状のプレートを折曲しその両端部を平板部１１ｂに固定して形成されており、引き寄せボルトを平板部１１ｂに対して垂直な方向の所望の位置にずらして挿通可能であり、引き寄せボルトを係合孔部１３ｂに挿通し、その引き寄せボルトの両側に位置する、係合孔部の相対向する一対の縁部間にまたがるように配したナットを螺合させる。【選択図】　　　　図１
2004027834.tif 000002
【特許請求の範囲】
【請求項１】
第１構造材と第２構造材とを互いに垂直に接合する接合金具であって、
第１構造材が垂直材であり、第２構造材が横架材であり、
固定用孔を有し該固定用孔を介して固定材で上記垂直材の側面に当接固定される縦長の平板体と、該平板体に突出固定され、該平板体の平板部に対して垂直な方向に縦長の係合孔部を有する係合体とを具備し、
上記係合孔部は、矩形状のプレートを折曲し、折曲により互いに接近した該プレートの両端部を該平板体の平板部に固定して形成されており、該係合孔部は、上記垂直材に上記横架材を引き寄せ接合させるのに用いられる引き寄せボルトを、上記平板部に対して垂直な方向の所望の位置にずらして挿通可能であり、
上記引き寄せボルトを上記係合孔部に挿通し、その引き寄せボルトの両側に位置する、該係合孔部の相対向する一対の縁部間にまたがるように配したナットを該引き寄せボルトに螺合させることにより、上記垂直材と上記横架材とを緊結可能になされていることを特徴とする接合金具。
【請求項２】
上記矩形状のプレートは、断面Ｕ字型に折曲されていることを特徴とする請求項１に記載の接合金具。
【請求項３】
第１構造材と第２構造材とを互いに垂直に接合する接合金具であって、
第１構造材が垂直材であり、第２構造材が横架材であり、
固定用孔を有し該固定用孔を介して固定材で上記垂直材の側面に当接固定される縦長の平板体と、該平板体に突出固定され、該平板体の平板部に対して垂直な方向に縦長の係合孔部を形成する係合体とを具備し、
上記係合孔部は、断面長円形状のパイプを上記平板体に固定して形成されており、該係合孔部は、上記垂直材に上記横架材を引き寄せ接合させるのに用いられる引き寄せボルトを、上記平板部に対して垂直な方向の所望の位置にずらして挿通可能であり、
上記引き寄せボルトを上記係合孔部に挿通し、その引き寄せボルトの両側に位置する、該係合孔部の相対向する一対の縁部間にまたがるように配したナットを該引き寄せボルトに螺合させることにより、上記垂直材と上記横架材とを緊結可能になされていることを特徴とする接合金具。
【請求項４】
上記固定用孔は、上記平板体の幅方向に横長であることを特徴とする請求項１〜３の何れかに記載の接合金具。
【請求項５】
上記平板体は、上記係合体の突出固定部に、該平板体補強用のリブ又はプレートを備えており、該リブ又は該プレートの下端は、上記平板体の下端よりも上方に位置していることを特徴とする請求項１〜４の何れかに記載の接合金具。
【発明の詳細な説明】
【０００１】
【発明の属する技術分野】
本発明は、接合金具に関し、詳しくは、引き寄せボルトの配設位置の精度に拘わらず、容易且つ確実に構造材同士を接合することのできる接合金具に関する。
【０００２】
【従来の技術】
近年、都市部等において木造三階建等の土地効率を高めた住宅が注目されている。このような建物においては、特に一階の柱に加わる引き抜き力が大きくなるため、図６に示されるように、土台等の横架材２０と該横架材２０上に立設される柱等の垂直材３０の柱脚部とは、ホールダウン金物１０と呼ばれる金物を利用して強固に接合される。上記垂直材３０は、その側面に固定された上記ホールダウン金物１０と上記基礎４に埋設されたアンカーボルト５とを緊結することにより横架材２０上に接合固定されている。
【０００３】
また、最近では、平屋建や二階建の住宅においても、より耐震性を向上させるために、このようなホールダウン金物が構造材同士の接合部に用いられることが多くなっている。尚、上記横架材２０は、基礎４に埋設されたアンカーボルト５０により該基礎４上に固定されている。また、胴差梁をはさんで上下に柱がくる場合の接合部にも、このようなホールダウン金物が多用されている。
【０００４】
【発明が解決しようとする課題】
しかし、上述したホールダウン金物１０を用いて横架材２０上に垂直材３０を接合するためには、該アンカーボルト５の正確な位置出しが必要であり、アンカーボルト５の埋設位置にずれがある場合には、該接合部にホールダウン金物１０の取付ができなかったり、取付は可能であっても必要な強度を確保できないおそれがある。また、胴差梁の上下の柱の径に差がある場合等では、ボルト位置の調整が困難であった。従って、このような場合には、十分な接合強度を確保するために、他の接合金物を利用して該接合部を補強する等の対策を講ずる必要があった。
【０００５】
従って、本発明の目的は、引き寄せボルトの配設位置の精度に拘わらず、容易且つ確実に構造材同士を接合することのできる接合金具を提供することにある。
【０００６】
【課題を解決するための手段】
本発明は、第１構造材と第２構造材とを互いに垂直に接合する接合金具であって、第１構造材が垂直材であり、第２構造材が横架材であり、固定用孔を有し該固定用孔を介して固定材で上記垂直材の側面に当接固定される縦長の平板体と、該平板体に突出固定され、該平板体の平板部に対して垂直な方向に縦長の係合孔部を有する係合体とを具備し、上記係合孔部は、矩形状のプレートを折曲し、折曲により互いに接近した該プレートの両端部を該平板体の平板部に固定して形成されており、該係合孔部は、上記垂直材に上記横架材を引き寄せ接合させるのに用いられる引き寄せボルトを、上記平板部に対して垂直な方向の所望の位置にずらして挿通可能であり、上記引き寄せボルトを上記係合孔部に挿通し、その引き寄せボルトの両側に位置する、該係合孔部の相対向する一対の縁部間にまたがるように配したナットを該引き寄せボルトに螺合させることにより、上記垂直材と上記横架材とを緊結可能になされていることを特徴とする接合金具を提供することにより、上記目的を達成したものである。
【０００７】
また、本発明は、第１構造材と第２構造材とを互いに垂直に接合する接合金具であって、第１構造材が垂直材であり、第２構造材が横架材であり、固定用孔を有し該固定用孔を介して固定材で上記垂直材の側面に当接固定される縦長の平板体と、該平板体に突出固定され、該平板体の平板部に対して垂直な方向に縦長の係合孔部を形成する係合体とを具備し、上記係合孔部は、断面長円形状のパイプを上記平板体に固定して形成されており、該係合孔部は、上記垂直材に上記横架材を引き寄せ接合させるのに用いられる引き寄せボルトを、上記平板部に対して垂直な方向の所望の位置にずらして挿通可能であり、上記引き寄せボルトを上記係合孔部に挿通し、その引き寄せボルトの両側に位置する、係合孔部の相対向する一対の縁部間にまたがるように配したナットを該引き寄せボルトに螺合させることにより、上記垂直材と上記横架材とを緊結可能になされていることを特徴とする接合金具を提供することにより、上記目的を達成したものである。
【０００８】
【発明の実施の形態】
以下、本発明の接合金具の好ましい実施形態について図面を参照しながら説明する。図１は、本実施形態の接合金具を示す斜視図であり、図２は、図１の接合金具の使用状態を示す平面図で、図２（ａ）は、アンカーボルトが柱側面に対し垂直方向にずれている場合、図２（ｂ）は、アンカーボルトが柱側面に沿う方向にずれている場合の接合を示す図である。図３は、図１の接合金具の使用状態を示す正面図である（固定材の図示は省略してある。）。
【０００９】
本実施形態の接合金具１は、図１〜４に示されるように、第１構造材２と第２構造材３とを互いに垂直に接合する接合金具であって、固定用孔１１ａを有し、該固定用孔１１ａを介してボルト等の固定材１２で上記第１構造材２の側面２ａに当接固定される縦長の平板体１１と、該平板体１１の平板部１１ｂに突出固定され、該平板部１１ｂに対して垂直方向に縦長の係合孔部１３ａを有し、上記第１構造材２に上記第２構造材３を引き寄せ接合させるのに用いられる引き寄せボルト５の一端部が挿通係合する係合体１３とを具備してなる。尚、図２及び図３における第１構造材は柱２、第２構造材は土台３であり、該柱２は、その下端面を該土台３の上面に当接させて該土台３上に接合されている。
【００１０】
以下、本実施形態の接合金具１について、より詳細に説明する。
本実施形態の接合金具１は、平板体１１と係合体１３とを主体として構成されている。上記平板体１１は、所定の厚みを有する縦長矩形状の金属製プレートからなり、該平板体１１には、第１構造材２に当接固定するための固定用孔１１ａが複数長手方向に一列に並ぶように穿設されている。
各固定用孔１１ａは、それぞれ上記平板体１１の幅方向に横長の長孔であり、より詳しくは、各固定用孔１１ａの上縁部及び下縁部は、互いに平行な直線状となっており、各固定用孔１１ａの左右の縁部は、それぞれ円弧形状となっている。
【００１１】
上記平板体１１は、突出固定部（該平板体１１における上記係合体１３が突出するように固定される部分）に、該平板体１１の長手方向に沿う補強用のリブ１４を有する。本接合金具における該補強用のリブ１４は、該平板体１１の下部中央に打出し成形により形成されている。尚、上記リブ１４の下端は、上記平板体１１の下端よりも上方に位置させてある。
上記係合体１３は、上記平板体１１と共に、上記平板体１１の長手方向に延びる筒状体を形成しており、上記平板体１１の平面状部分である平板部１１ｂに突出するように固定されている。より具体的には、係合体１３は、断面Ｕ字型に折曲された矩形状のプレートからなり、該プレートの両端部が該平板体１１の前面平面状の平板部１１ｂに溶接等により固定されている。
【００１２】
以下に、本実施形態の接合金具１の使用方法の一例として、該接合金具１を用いて上記第１構造材としての柱２と上記第２構造材としての土台３とを接合する場合について説明する。
【００１３】
先ず、図３に示すように、基礎４にアンカーボルト５を埋設固定し、該アンカーボルト５の配設位置に対応させて土台３にアンカーボルト５用の貫通孔を穿設する。そして、土台３を該基礎４上に載置し、該土台３上に、柱２や梁を組み上げていく。
そして、柱２の側面２ａにボルト等の固定材１２を用いて本接合金具１を固定すると共に、該接合金具１における上記係合体１３に上記アンカーボルト５を挿通させ、該アンカーボルト５の上端雄ねじ部にナット６を螺合させて締め付ける。
このとき、柱２と該柱２の近傍に突出するアンカーボルト５との間には、予め設定された所定幅の隙間が形成されるのが通常であるが、アンカーボルト５の打設位置に多少のずれが生じ、上記隙間の幅が設定値の前後にずれることがある。
【００１４】
本接合金具１においては、このようにアンカーボルト５と柱２との間の距離が設定値から外れている場合であっても、上記係合孔部１３ａが上記平板体１１の平板部１１ｂに対して垂直方向に縦長の形態を有するため、アンカーボルトの貫通する位置が前後にずれるのみで、該接合金具１の取付には支障がない。そして、接合金具１とアンカーボルト５との緊結を支障なく行うことができ、柱２と土台３との接合部に十分な接合強度を確保することができる。図２（ａ）は、アンカーボルト５の配設位置が、柱２の側面２ａから遠くなる方向にずれた場合を示しているが、このような場合であっても柱２を土台３に容易且つ確実に接合することができ、同様に、アンカーボルト５の配設位置が、柱２の側面２ａに近い方向（例えば、図２（ａ）　中のＰの位置）にずれた場合であっても、柱２を土台３に容易且つ確実に接合することができる。
【００１５】
本接合金具１は、直径１６ｍｍのアンカーボルト５に対応するようになっており、上記係合孔部１３ａの長手方向の内寸は、該直径１６ｍｍのアンカーボルト５の配設位置のずれが、所定位置の前後にプラス・マイナス２０ｍｍまで対処できるような寸法とされている。尚、図２（ａ）中、７で示されるのは、円錐台形状の固定用楔材であり、該固定用楔材を係合孔部１３ａ内部の隙間に打ち込むことにより、該係合孔部１３ａに挿通されたアンカーボルト５や該アンカーボルトに螺合されるナット６のぐらつきや緩み等を防止することができる。
【００１６】
また、本接合金具１における上記各固定用孔１１ａは、平板体１１の幅方向に横長の形態を有するため、図２（ｂ）に示されるようにアンカーボルト５の配設位置が第２構造材３の幅方向にずれた場合には、本接合金具１をアンカーボルト５がずれた方向（図２（ｂ）における右方向）にずらして柱２に固定すれば良い。即ち、本接合金具１をアンカーボルト５のずれた方向に応じて柱側面中央より左右にずらして固定することにより、上記係合体１３とアンカーボルト５との位置関係を最適なものとすることができる。従って、接合金具１とアンカーボルト５との緊結を支障なく行うことができ、柱２と土台３との接合部に十分な接合強度を確保することができる。
また、アンカーボルト５の配設位置は正常であるが、上記各固定用孔１１ａの穿設位置がいずれかの方向にずれている場合においても、接合金具１の固定位置をアンカーボルト寄りの位置にずらすことにより対処可能である。
【００１７】
本接合金具１の柱２への固定は、上記固定用孔１１ａを介してボルト等の固定材１２により行われ、そのため、予め柱２に固定材の挿通用孔２１を穿設しておく必要がある。
上記挿通用孔２１の穿設は、通常、現場又は工場プレカットにて行われるが、特に現場における穿設の場合、各挿通用孔２１が直線状に揃っておらず、各挿通用孔２１が柱側面２ａの幅方向左右に多少ずれて穿設されることがある。図３は、上記挿通用孔２１が幅方向にずれている場合を示すものであり、中央の挿通用孔２１は適正位置に、上下の挿通用孔２１はそれぞれ左右にずれて穿設されている例である。
【００１８】
本接合金具１は、このように固定材の挿通用孔２１が第１構造材２の幅方向にずれて穿設されている場合であっても、上記平板体１１の幅方向に横長であるため、図３に示すように支障なく柱２に当接固定することができる。
従って、本接合金具１によれば、このような場合においても接合金具１とアンカーボルト５とを支障なく緊結することができ、柱２と土台３との接合部に十分な接合強度を確保することができる。
【００１９】
図４は、上記接合金具１の他の使用態様を示すものであり、第２構造材としての胴差３’上に、一対の該接合金具１，１を用いて第１構造材としての上階の柱２’を接合した例を示すものである。
即ち、上階の柱２’の側面に、一方の上記接合金具１が固定され、下階の柱２”に、他方の接合金具１が固定され、上記胴差３’を貫通させて、一対の該接合金具１，１の係合体１３，１３間に直線状の引き寄せボルト５’が掛け渡され、該引き寄せボルト５’の両端部が上記係合体１３，１３に挿通係合されることによって、上記胴差３’上に上階の柱２’が接合されている。
【００２０】
上記接合金具１は、このように管柱２’，２”同士の緊結に使用することができ、この場合、上階の柱２’と下階の柱２”とが異なる材径であっても良い。即ち、本接合金具１によれば、係合孔部１３ａが上記平板体１１の平板部１１ｂに対して垂直方向に縦長の形態を有するため、図４に示すように上階の柱２’と下階の柱２”とが異なる材径である場合にも両柱２’，２”間を確実に緊結することができ、上階の柱２’の引き抜けを防止する。
また、本接合金具１は、材径が異なる場合の他、上階の柱２’と下階の柱２”とが材径が同じで軸芯がずれて配設されている場合にも同様に使用することができる。
【００２１】
図５に、本発明の接合金具の他の実施形態を示す。この実施形態は、図１〜図４に示される実施形態とは、上記係合体１３の形成方法、及び上記平板体１１における該係合体１１の突出固定部の補強方法が異なるのみで、他の部分の形態等に何等異なるところはない。以下には、その相違点についてのみ説明し、その他の同様の構成には同一の符号を付してその詳しい説明を省略する。
【００２２】
図５に示す接合金具１’においては、係合体１３’が、断面長円形状のパイプからなり、該パイプにより上記平板体１１の平板部に対して垂直方向に縦長の係合孔部１３ａが形成されている。そして、上記係合体１３’が固定される上記平板体１１の一部である突出固定部には、補強用のプレート１５が該平板体１１の長手方向に沿うように配設されている。
本実施形態の接合金具１’は、図１〜図４に示す接合金具１と全く同様にして用いることができ、該接合金具１’によれば上述の接合金具１におけるのと同様の効果が奏される。
【００２３】
以上、本発明の接合金具の実施形態について説明したが、本発明は上記実施形態に制限されることなく、各部の形状や寸法等は本発明の趣旨を逸脱しない範囲で適宜変更可能である。
例えば、接合金具１における上記係合体１３は、上記平板体１１の平板部１１ｂに対して垂直方向に縦長の係合孔部１３ａを具備し、引き寄せボルト５を、平板部１１ｂに対して垂直な方向の所望の位置にずらして挿通可能であり、その引き寄せボルトの両側に位置する、係合孔部の相対向する一対の縁部間にまたがるようにナットを配置して螺合可能である限り、その構成及び形成方法に制限はなく、また、材質や厚さ等により平板体１１に十分な強度が確保できるのであれば、該係合体１３を固定する突出固定部にリブやプレート等による補強がなくても良い。
また、上記平板体１１の第１構造材２への固定は、ボルトによる他、釘等の他の固定材により行っても良い。また、本発明の接合金具は、土台等の横架材（第１構造材）と該横架材上に立設された柱等の垂直材（第２構造材）の柱脚部とを接合するのに特に適しているが、その他の態様で構造材同士を接合するのに用いることもできる。
【００２４】
【発明の効果】
本発明によれば、引き寄せボルトの配設位置の精度に拘わらず、容易且つ確実に構造材同士を接合することのできる接合金具を提供することができる。
【図面の簡単な説明】
【図１】図１は、本発明の接合金具の一実施形態を示す斜視図である。
【図２】図２は、図１の接合金具の使用状態を示す平面図である。
【図３】図３は、図１の接合金具の使用状態を示す正面図である。
【図４】図４は、図１の接合金具の他の使用状態を示す側面図である。
【図５】図５は、本発明の接合金具の他の実施形態を示す斜視図である。
【図６】図６は、従来の接合金具を示す斜視図である。
【符号の説明】
１　　　　接合金具
１１　　平板体
１１ａ　固定用孔
１１ｂ　平板部
１２　　固定材（ボルト）
１３　　係合体
１３ａ　係合孔部
１４　　補強用のリブ
１５　　補強用のプレート
２　　　　柱（垂直材，第１構造材）
２１　　固定材挿通孔
２ａ　　側面
３　　　　土台（横架材，第２構造材）
４　　　　基礎
５　　　引き寄せボルト（アンカーボルト）
６　　ナット
【図１】
2004027834.tif 000003
【図２】
2004027834.tif 000004
【図３】
2004027834.tif 000005
【図４】
2004027834.tif 000006
【図５】
2004027834.tif 000007
【図６】
2004027834.tif 000008